(57)【要約】【課題】待ち受け時間の短縮化や受信感度の劣化の不具合を防止することができる無線携帯装置を提供すること。【解決手段】燃料電池セル１１０による発電のため生じる反応水を、放熱部１２０、循環部１３０、吸熱部１４０に流し、回収部１０２に回収する。吸熱部１４０は、放熱部１２０で冷却された反応水を利用して、マイクロプロセッサ２２０やＲＦ受信部２４０を冷却し、受信感度の劣化を防ぎ、またＭＯＳトランジスタでのリーク電流の増大を防止する。充電制御部２００は、燃料電池セル１１０からの電荷で二次電池２１０を充電するとともに、携帯無線装置１が待ち受け状態か通信状態かに応じて燃料制御部１０３を制御して燃料電池セル１１０への燃料供給量を制御し、燃料電池セル１１０での化学反応の平準化を図り、携帯無線装置１筐体内部の温度上昇を抑制する。【選択図】図１
2008041283.tif 000002
【特許請求の範囲】
【請求項１】
水溶液状の燃料を蓄える燃料蓄積手段と、
前記燃料蓄積手段から供給された燃料と酸素とを化学反応させて反応水を生成するとともに電力を発生する燃料電池セルと、
発生した前記電力を蓄積する二次電池と、
前記二次電池に蓄積されている電力量に基づいて、前記燃料蓄積手段から前記燃料電池セルへ供給する燃料の流量を調節する燃料調節手段と、
前記化学反応により前記反応水に生じる熱を放熱して前記反応水を冷却する放熱手段と、
前記放熱手段で冷却された前記反応水により、無線部を構成する半導体部品から生じる熱を吸熱する吸熱手段と、
前記吸熱手段で熱を吸熱させた前記反応水を回収する回収手段と、
を備える携帯無線装置。
【請求項２】
前記二次電池は、蓄積した前記電力を電子回路部に給電する請求項１記載の携帯無線装置。
【請求項３】
前記吸熱手段は、前記放熱手段で冷却された前記反応水により、前記半導体部品であるアナログ素子から生じる熱を吸熱する請求項１記載の携帯無線装置。
【請求項４】
前記吸熱手段は、前記放熱手段で冷却された前記反応水により、前記半導体部品であるＭＯＳトランジスタから生じる熱を吸熱する請求項１記載の携帯無線装置。
【請求項５】
前記燃料調節手段は、待ち受け状態および通信状態の区別に応じて、前記燃料蓄積手段から前記燃料電池セルに供給する燃料の流量を調節する請求項１から請求項４のいずれかに記載の携帯無線装置。
【発明の詳細な説明】
【技術分野】
【０００１】
本発明は、燃料電池セルを備えた携帯無線装置に関する。
【背景技術】
【０００２】
近年、携帯電話やＰＤＡなどの携帯装置での高機能化や長時間使用化の市場ニーズにともなってリチウム二次電池など二次電池の大容量化の要求が高まっている。とりわけ携帯電話では近年始まったディジタル地上波放送の受信機能やＧＰＳ機能などへの対応も検討されており、長時間使用のニーズは高まっている。そのニーズを受けて、近年、充電不要でエネルギー密度が高い燃料電池セルの携帯機器への電源としての適用が検討されている。特にメタノール溶液から水素イオンを取り出すダイレクトメタノール（ＤＭＦＣ）やメタノールの水素イオンを取り出して燃料電池セルに供給するメタノール改質方式などが知られており、これらの方式による燃料電池セルは大容量化と小型化が可能であり、携帯装置への応用が期待されている。
【０００３】
燃料電池セルについて説明すると、燃料電池セル内部での化学反応は、負極については式（１）、また正極については式（２）で表すことができる。
【数１】
2008041283.tif 000003
【数２】
2008041283.tif 000004
【０００４】
式（１）および式（２）に示す化学反応は高温であるほど起電力を取り出す効率は高い。そのため、電子機器へ適応する場合には、例えば携帯型パーソナルコンピュータ（以下、携帯ＰＣという。）において、燃料電池セルを加熱する目的で、携帯ＰＣの中で発熱性の電子部品であるマイクロプロセッサと燃料であるメタノール溶液を熱結合し、加熱されたメタノール溶液を燃料電池セルに供給することが知られている（例えば、特許文献１参照）。
【特許文献１】特開２００３−３０８８６１号公報
【発明の開示】
【発明が解決しようとする課題】
【０００５】
しかしながら、従来の携帯無線装置は、単に燃料電池セルの燃料の加熱を目的として熱供給するので、ＭＯＳトランジスタのリーク電流を増大させ、無線部を搭載する小型の携帯無線装置において待ち受け時間の短縮化や受信感度の劣化を排除できないという問題点があった。
【０００６】
本発明はかかる点に鑑みてなされたものであり、携帯無線装置における待ち受け時間の短縮化や受信感度の劣化の不具合を防止できる無線携帯装置を提供することを目的とする。
【課題を解決するための手段】
【０００７】
本発明の携帯無線装置は、水溶液状の燃料を蓄える燃料蓄積手段と、前記燃料蓄積手段から供給された燃料と酸素とを化学反応させて反応水を生成するとともに電力を発生する燃料電池セルと、発生した前記電力を蓄積する二次電池と、前記二次電池に蓄積されている電力量に基づいて、前記燃料蓄積手段から前記燃料電池セルへ供給する燃料の流量を調節する燃料調節手段と、前記化学反応により前記反応水に生じる熱を放熱して前記反応水を冷却する放熱手段と、前記放熱手段で冷却された前記反応水により、無線部を構成する半導体部品から生じる熱を吸熱する吸熱手段と、前記吸熱手段で熱を吸熱させた前記反応水を回収する回収手段と、を備える構成を採る。
【発明の効果】
【０００８】
本発明によれば、燃料電池セルを利用する場合であっても、携帯無線装置における待ち受け時間の短縮化や受信感度の劣化等の不具合を防止することができる。
【発明を実施するための最良の形態】
【０００９】
以下、本発明の実施の形態について図面を参照して詳細に説明する。
【００１０】
（実施の形態）
図１は、本発明の実施の形態に係る携帯無線装置１の構成を示すブロック図である。
【００１１】
携帯無線装置１は、電池燃料部１００と、燃料電池セル１１０と、放熱部１２０と、循環部１３０と、吸熱部１４０と、充電制御部２００と、二次電池２１０と、マイクロプロセッサ２２０と、アンテナ２３０と、ＲＦ受信部２４０と、ベースバンド受信部２５０とから主に構成されている。
【００１２】
電池燃料部１００は、燃料部１０１と回収部１０２とから構成される。燃料部１０１は、燃料であるエタノール水溶液を蓄積する。回収部１０２は、燃料電池セル１１０での発電により生成される反応水を、吸熱部１４０から回収して蓄える。
【００１３】
燃料電池セル１１０は、負極１１１と、セパレータ１１２と、正極１１３とを有する。燃料電池セル１１０は、燃料電池の発電に係る化学反応を行う部分であり、セパレータ１１２により負極１１１と正極１１３に分離されている。負極１１１は炭素電極であり、式（１）の化学反応が行われ、セパレータ１１２は、負極１１１で生じた水素イオンを正極１１３へ通過させる。正極１１３では、式（２）の化学反応が行われる。
【００１４】
放熱部１２０は、燃料電池セル１１０の正極１１３で生じた反応水の熱を携帯無線装置１の筐体外部へ放出する。
【００１５】
循環部１３０は、放熱部１２０で冷却された反応水を、吸熱部１４０を介して回収部１０２に循環させる。
【００１６】
吸熱部１４０は、循環部１３０を介して得られた冷却された反応水により、マイクロプロセッサ２２０や、ＲＦ受信部２４０から発生する熱を吸熱する。これにより、マイクロプロセッサ２２０やＲＦ受信部２４０が動作することに起因して生じるマイクロプロセッサ２２０やＲＦ受信部２４０の温度の上昇を抑制し、マイクロプロセッサ２２０やＲＦ受信部２４０の動作温度を周囲温度と同等に保つことが可能となる。
【００１７】
アンテナ２３０は、外部から無線信号を受信する。ＲＦ受信部２４０は、アンテナ２３０から無線信号を受けるアナログ素子を有しており、無線信号を受信処理して、処理結果である受信信号をベースバンド受信部２５０に出力する。ベースバンド受信部２５０は、受信信号をベースバンド処理して受信データを得る。アンテナ２３０、ＲＦ受信部２４０、ベースバンド受信部２５０は、無線通信機能部を構成する。
【００１８】
マイクロプロセッサ２２０は、充電制御部２００、ＲＦ受信部２４０、ベースバンド受信部２５０などの携帯無線装置１の電子回路全体の動作状態を管理しており、携帯無線装置１の電子回路全体の動作状態の制御を行う。マイクロプロセッサ２２０は、携帯無線装置１が待ち受け状態にあるのか、通常の通信状態にあるのかを判断し、充電制御部２００に対して充電制御の制御条件を出力する。なお、携帯無線装置１は、ベースバンド受信部２５０の出力を受けて音声信号や表示信号を出力する出力部などマイクロプロセッサ２２０が制御する他の電子回路も有するが、図１では図示していない。マイクロプロセッサ２２０や、ＲＦ受信部２４０の主要部、ベースバンド処理部２５０など携帯無線装置１の電子回路部は、ＭＯＳトランジスタの集積回路で構成されている。
【００１９】
充電制御部２００は、正方向の燃料電池セル１１０の正極１１３からの電流を一方的に二次電池２１０へ流し、逆方向の電流は流さないことで、燃料電池セル１１０が発電した電力を二次電池２１０に充電する。充電制御部２００は、二次電池２１０の出力電圧を検出し、出力電圧と予め定めた閾値とを比較して、二次電池２１０の電力残量の過不足を判定する。充電制御部２００は、二次電池２１０の電力の残量に応じて燃料制御部１０３を制御することにより燃料部１０１が負極１１１に対して送るエタノール水溶液の流量を制御する。これによって充電制御部２００は、燃料電池セル１１０が発電する電力を制御することができる。
【００２０】
さらに、充電制御部２００は、燃料電池セル１１０での発電を制御するため、二次電池２１０の電池残量の不足を判定するための閾値を、マイクロプロセッサ２２０の制御に基づき、携帯無線装置１が待ち受け状態であるのか、通常の通信状態であるのかに応じて設定する。具体的には、携帯無線装置１が通常の通信状態では燃料電池セル１１０の発電を開始する閾値（これを、通常状態時充電開始閾値という。）を設定し、待ち受け状態では燃料電池セル１１０の発電を開始する閾値（これを、待ち受け状態時充電開始閾値という。）を設定する。これによって、二次電池２１０は、待ち受け状態においては、二次電池２１０の出力電圧が待ち受け状態時充電開始閾値より低い場合には、燃料電池セル１１０の化学反応により発生した電力により充電が開始される。生じた高温の反応水は放熱部１２０で常温近くに放熱され循環部１３０を介して吸熱部１４０に送られる。吸熱部１４０ではマイクロプロセッサ２２０とＲＦ受信部２４０を冷却する。
【００２１】
一方、通常の通信状態では、充電制御部２００は、二次電池２１０の出力電圧が通常状態時充電開始閾値より低くならない限り、燃料電池セル１１０による発電を行わない。携帯無線装置１では、このような充電制御部２００の制御により、発熱の原因である燃料電池セル１１０の化学反応が平準化され、燃料電池セル１１０の化学反応が通常の通信状態で行われる確率が低くなるようにされるので、通信中のマイクロプロセッサ２２０やＲＦ受信部２４０など筐体の中の温度上昇を抑えることができる。もし通常の通信状態で通常状態時充電開始閾値より低い場合は、燃料電池セル１１０による発電が開始される。生じた高温の反応水は放熱部１２０で常温近くに放熱され循環部１３０を介して吸熱部１４０に送られる。吸熱部１４０ではマイクロプロセッサや２２０とＲＦ受信部２４０を冷却する。
【００２２】
このようにして充電のタイミングを制御して、二次電池２１０は、蓄えた電力を携帯無線装置１のマイクロプロセッサ２２０やＲＦ受信部２４０等の各電子回路部に供給する。この結果、二次電池２１０は待ち受け状態時に充電した電力を利用して通信状態にある各電子回路に電力を供給することになる。すなわち、通常の通信状態において、二次電池２１０は、燃料電池セル１１０より優先して携帯無線装置１の各電子回路部に電力を供給することになる。
【００２３】
図２は、本実施の形態にかかる携帯無線装置１の動作を示すフロー図である。以下、図２のフロー図に従い、携帯無線装置１の動作を説明する
【００２４】
携帯無線装置１は、電源が投入されると最初初期動作（Ｓ２０１）を行う。初期動作としては、例えば、二次電池２１０の出力電圧を検出し、この出力電圧が通常状態時充電開始閾値よりも低く、二次電池２１０に蓄えられた電力が不十分なことが検出された場合には、携帯無線装置１は、燃料制御部１０３を制御して、燃料部１０１に蓄えられるエタノール水溶液を燃料電池セル１１０の負極１１１に送り込む。これに伴い燃料電池セル１１０では、式（１）および式（２）で示す化学反応が起きる。
【００２５】
式（１）と式（２）は燃料電池セル１１０の発電に係る化学反応であり、負極１１１で生じた電子が電池外部に放出されて二次電池２１０と充電制御部２００を介して正極１１３に至ることで二次電池２１０への充電が行われる。式（２）が示す化学反応は発熱反応であり、正極１１３で生じる反応水の温度は約８０℃の高温となる。
【００２６】
燃料電池セル１１０による充電により二次電池２１０に蓄えられた電力は、マイクロプロセッサ２２０、ＲＦ受信部２４０、ベースバンド受信部２５０などに供給されて、携帯無線装置１の各電子回路部の駆動に用いられる。
【００２７】
正極１１３で生じる高温の反応水は、筐体と一体化された放熱部１２０で熱を筐体の外部に放熱し、携帯無線装置１の周囲温度まで冷却される。冷却された反応水は循環部１３０を通り吸熱部１４０に導入される。
【００２８】
吸熱部１４０は、マイクロプロセッサ２２０およびＲＦ受信部２４０と反応水とを熱交換させて、通電により生じる熱を反応水に吸収させた後、反応水を回収部１０２へ送る。
【００２９】
以上のように、初期動作（Ｓ２０１）のタイミングにおいて携帯無線装置１の電力が不十分な場合は、携帯無線装置１は、燃料電池セル１１０にて発電して得た電力を二次電池２１０に蓄積する。
【００３０】
なお、携帯無線装置１の電源投入時に二次電池２１０の電力が十分である場合には、携帯無線装置１は、燃料電池セル１１０での化学反応に基づく充電の動作は行わない。多くの場合は、電源投入時において二次電池２１０の電力が不足している状態は、可能性として少ない。その電源投入の前段の操作である利用者の電源断の操作に伴い、電源断の状態を待ち受け状態とみなして、燃料電池セル１１０の化学反応に伴う電力により二次電池２１０を十分な充電状態に保持することができるからである。
【００３１】
次に携帯無線装置１は、待ち受け状態であるかどうかを判定する。待ち受け状態の場合（Ｓ２０２：ＹＥＳ）、携帯無線装置１は、図示していないタイマの周期的な起動信号に従ってマイクロプロセッサ２２０を約１秒周期で起動し、ページングチャネルの受信のためにＲＦ受信部２４０とベースバンド受信部２５０を起動する（Ｓ２０３）。
【００３２】
次にマイクロプロセッサ２２０は、ページングチャネルの受信（Ｓ２０４）後、自己宛の呼び出しがないかを判定する。マイクロプロセッサ２２０は、受信したページングチャネルの内容から呼び出しがないと判定すると（Ｓ２０５：ＮＯ）、ＲＦ受信部２４０とベースバンド受信部２５０のクロック送出を停止する。これにより携帯無線装置１は通信動作に関してはスリープ状態となる（Ｓ２０６）。これに合わせてマイクロプロセッサ２２０は、携帯無線装置１がスリープ状態の待ち受け状態に入ったことを記憶する。
【００３３】
このスリープ状態の期間において約１秒周期で行われるページングチャネル受信のための動作を間欠受信と呼ぶ。このような間欠受信を行うスリープ状態時には、マイクロプロセッサ２２０やＲＦ受信部２４０など電子回路部の動作は最小限のレベルに抑圧されるので、携帯無線装置１の内部温度が上昇する可能性は低い。
【００３４】
次に、ステップＳ２０７でマイクロプロセッサ２２０は、待ち受け状態であることを充電制御部２００に出力する。充電制御部２００は、マイクロプロセッサ２２０からの待ち受け状態であることを示す出力に対応した待ち受け状態時充電開始閾値を設定するとともに、二次電池２１０の電圧を検出して待ち受け状態時充電開始閾値と比較し二次電池２１０が蓄積している電力量の過不足を判定する。充電制御部２００は、二次電池の電圧が待ち受け状態時充電開始閾値より低く、電力量が不足すると判定した場合には、燃料制御部１０３を制御して燃料部１０１から負極１１１に流れる燃料の量を増加させ燃料電池セル１１０の化学反応を促進し、燃料電池セル１１０からの電荷を増大させ、二次電池２１０を充電する。ただし、充電制御部２００は、燃料電池セル１１０の化学反応の促進により必要以上に温度が上昇しないように、二次電池２１０の電圧が予め定めた充電停止閾値以上になると、燃料制御部１０３を制御して負極１１１に流れ込む燃料を止め、燃料電池セル１１０の化学反応を抑制する。
【００３５】
このようなスリープ状態の間（Ｓ２０６、Ｓ２０７）においても、二次電池２１０の出力電圧が待ち受け状態時充電開始閾値より高い場合は、マイクロプロセッサ２２０にはリーク電流は流れるが、待ち受け状態における間欠受信に要する電力は小さいため、燃料電池セル１１０からの充電により二次電池２１０へ補填するべき電力はわずかなものでよい。これに対応してこのわずかな電力を補填するとしても、燃料電池セル１１０の発電に係る化学反応も小規模で済むため、化学反応による発熱も小さく、反応水の温度上昇は抑えられる。従って、放熱部１２０を通過した反応水の温度は、携帯無線装置１の筐体の周囲温度近くに保たれる。
【００３６】
携帯無線装置１がスリープ状態の間（Ｓ２０６、Ｓ２０７）にある場合で二次電池２１０の出力電圧が待ち受け状態時充電開始閾値より低い場合は、充電制御部２００は、燃料制御部１０３を制御して、燃料部１０１に蓄えられるエタノール水溶液を燃料電池セル１１０の負極１１１に送り込む。これに伴い燃料電池セル１１０では、式（１）および式（２）で示す化学反応が起き、充電制御部２００は、化学反応により発電された電力により、二次電池２１０を充電する。この二次電池２１０への充電動作においても、急速充電が必要な特別な条件がない限り、燃料電池セル１１０の発電に係る化学反応も小規模で済むため、化学反応による発熱も小さく、反応水の温度上昇は抑えられる。
【００３７】
この反応水を吸熱部１４０で用いてマイクロプロセッサ２２０とＲＦ受信部２４０と反応水とを熱交換させ、マイクロプロセッサ２２０とＲＦ受信部２４０に発生する熱を反応水に吸熱させると、マイクロプロセッサ２２０とＲＦ受信部２４０とは反応水によって冷却され、マイクロプロセッサ２２０のリーク電流の増加を防止することができ、ＲＦ受信部２４０の雑音電力を低く維持することができる。
【００３８】
ステップＳ２０７において、二次電池２１０の出力電圧が上昇して充電停止閾値に達し、二次電池２１０が十分に充電されたことを充電制御部２００が検出すると、充電制御部２００は、燃料制御部１０３を制御して、燃料電池セル１１０の発電のための化学反応を停止する。なお、充電制御部２００は、受信待ち受け時における燃料電池セル１１０からの二次電池２１０に対する充電が急速に行われ、携帯無線装置１筐体内部の温度が急激に上昇しないように、相当の長い時間をかけて充電が行われるように制御する。
【００３９】
一方、携帯無線装置１が通信状態に設定されたとき（Ｓ２０２：ＮＯ）、あるいはステップＳ２０５で呼び出しが検出されたとき（Ｓ２０５：ＹＥＳ）には、携帯無線装置１は、通話制御など通信状態に対応する処理（Ｓ２０８）を行う。ステップＳ２０８の処理の後、携帯無線装置１は、ステップＳ２０９の通信状態に対応した電子回路部に対する給電制御を行う。具体的には、通常の通信状態では、充電制御部２００は、二次電池２１０の出力電圧が通常状態時充電開始閾値より低くなるまでは、燃料電池セル１１０からの電力により二次電池２１０に対し充電する制御を行わない。従って、マイクロプロセッサ２２０、ＲＦ受信部２４０やベースバンド受信部２５０などの電子回路部へは、二次電池２１０からの電力が優先して連続給電される。すなわち、充電制御部２００は、二次電池２１０から連続給電している間は、燃料制御部１０３を制御して燃料の負極１１１への流入量を制限し、燃料電池セル１１０の発電に係る化学反応を抑えて極力発熱を小さくする。これによって、通信状態時において携帯無線装置１は、マイクロプロセッサ２２０などが高速動作をし、各電子回路部からの発熱が大きい状態となるが、燃料電池セル１１０からの発熱が抑えられ、全体として携帯無線装置１筐体内部の温度上昇が抑制される。
【００４０】
ステップＳ２０７およびステップ２０９でのスリープ状態時および通信状態時に応じた充電制御が終了すると、携帯無線装置１はその他の必要な制御を行う（Ｓ２１０）。ステップ２１０の制御が終了すると、携帯無線装置１は、制御をステップＳ２０２に移し、以降、待ち受け状態あるいは通信状態に応じた先述の動作（Ｓ２０３〜Ｓ２１０）を繰り返す。なお、ステップＳ２０５で呼び出しが確認されたとき（Ｓ２０５：ＹＥＳ）には、これは通信状態になったことを示すので、携帯無線装置１はステップＳ２０８に制御を移し、通信状態の制御を行う。
【００４１】
因みに、携帯電話など携帯無線装置の無線部の受信系は、アンテナ側から受信アンテナ、アンテナ切りかえスイッチ、低雑音アンプ（ＬＮＡ）、チャネルフィルタ、可変利得アンプ（ＶＧＡ）などから成り、出力がベースバンド部へ入力される。
【００４２】
ここで、無線部における雑音指数（Ｎｏｉｓｅ  Ｆｉｇｕｒｅ：ＮＦ）は式（３）および式（４）で与えられる。
【数３】
2008041283.tif 000005
なお、式（３）では、mは1シンボルあたりのビット数、Tsはシンボル周期[s]、Bnは受信フィルタ等価雑音帯域幅[Hz]とする。
【数４】
2008041283.tif 000006
【００４３】
従ってここで、kをボルツマン定数、Ｔを絶対温度[Ｋ]、ＮＦを雑音指数(真数)、とすると、入力換算雑音電力Ｎは、式（５）および式（６）で表される。
【数５】
2008041283.tif 000007
【数６】
2008041283.tif 000008
【００４４】
すなわち、式（５）により入力換算雑音Ｎは絶対温度Ｔに比例する。従って、例えば携帯無線装置のＲＦ受信部の動作温度の上限が８５℃で規定されるデバイスを２５℃へ冷却すれば、０．８ｄＢの受信感度の良化を招くことを示している。よって本実施の形態によれば、無線部の温度上昇を抑えて、受信感度の劣化を抑えることができる。また、ＲＦ受信部の動作上限温度に対する設計マージンを小さくすることが可能となり、部品のコストダウンにも寄与する。
【００４５】
以上のように本実施の形態によれば、携帯無線装置１が待ち受け状態にある場合に二次電池２１０への充電を行い、通常の通信状態時には、待ち受け状態時に蓄積した電力を優先的に使用して電子回路を動作させるので、燃料電池セル１１０における化学反応を平準化できる。また発電時には反応水によりＲＦ受信部２４０を冷却できる。これらにより携帯無線装置１の筐体内部の温度が一時的に急上昇することが抑えられるので、携帯無線装置１の受信感度の劣化が抑制される。
【００４６】
本発明は上記の実施の形態に限定されず、数々の変形が可能である。その変形の例として、例えば次のようなものがある。すなわち、燃料部１０１に搭載される燃料及び燃料電池セル１１０は、例えばメタノール改質方式の燃料電池システムに置き換えてもよい。また、電池燃料部１００は燃料部１０１と回収部１０２が分離された構造であってもよい。
【００４７】
また、本実施の形態では、ベースバンド受信部２５０は吸熱部１４０による直接の冷却は行わないものとしたが、これはアナログ素子を含むＲＦ受信部２４０の冷却を優先させたためで、ベースバンド受信部２５０も、マイクロプロセッサ２２０、ＲＦ受信部２４０同様吸熱部１４０と密着させ、反応水により直接冷却されるようにしてもよい。また、マイクロプロセッサ２２０とＲＦ受信部２４０とベースバンド受信部２５０など電子部品と、発熱源である燃料電池セル１１０とはなるべく離すことが望ましい。さらに、燃料電池セル１１０からの正方向電流による充電制御部２００での電圧降下はなるべく小さいことが望ましい。なお、二次電池２１０に蓄積されている電力量を監視する方法としては、本実施の形態で説明した二次電池２１０の出力電圧を検出して監視する方法のほか、二次電池２１０から携帯無線装置１の各電子回路部などに流れる電流量を検出して順次時間的に積算して消費された電力を算出することにより、二次電池２１０に残っている電力量を監視する方法を用いることもできる。さらに、二次電池２１０はリチウム二次電池のほか、ニッケル水素二次電池、ニッケルカドミウム二次電池、鉛二次電池などでも代用できる。また、携帯無線装置の動的な消費電流が比較的小さい場合は、二次電池２１０は大容量コンデンサで代用できる。
【００４８】
また、吸熱部１４０を利用してリーク電流を低減する対象は、ＭＯＳトランジスタで構成される半導体、例えばベースバンド受信部２５０やメモリや液晶駆動ドライバなどでもよく、マイクロプロセッサ２２０やＲＦ受信部２４０に限定されない。
【産業上の利用可能性】
【００４９】
本発明は、燃料電池セルを備えた携帯無線装置に有用である。
【図面の簡単な説明】
【００５０】
【図１】本発明の実施の形態に係る携帯無線装置の構成を示すブロック図
【図２】本発明の実施の形態に係る携帯無線装置の動作を説明するためのフロー図
【符号の説明】
【００５１】
１  携帯無線装置
１００  電池燃料部
１０１  燃料部
１０２  回収部
１０３  燃料制御部
１１０  燃料電池セル
１１１  負極
１１２  セパレータ
１１３  正極
１２０  放熱部
１３０  循環部
１４０  吸熱部
２００  充電制御部
２１０  二次電池
２２０  マイクロプロセッサ
２３０  アンテナ
２４０  ＲＦ受信部
２５０  ベースバンド受信部
【図１】
2008041283.tif 000009
【図２】
2008041283.tif 000010